(57)【特許請求の範囲】
【請求項１】
ある人体の個人情報を表示可能な表示部と、前記表示部に連結し、この人体の四肢の少なくともいずれかひとつに巻き付けるバンド部と、を有するリストバンドであって、
前記表示部と前記バンド部とは略同一の面積であり、前記表示部は、これを矩形状に形成し、前記バンド部は、前記表示部のいずれかの一辺にこれを一体的に連結し、前記人体の四肢のいずれかひとつに巻き付ける環状の長さの許容範囲は、当該リストバンドの長手方向の半分の長さから長手方向の長さ以内であるとともに、前記表示部の裏面には、所定の位置に粘着層、剥離層、剥離紙が順次積層形成するとともに、前記表示部の裏面の一方の端部には、接着層、前記剥離紙が積層形成していることを特徴とするリストバンド。
【請求項２】
前記バンド部には、所定の間隔で長手方向の上下端部よりハーフ破断線が中央に向かい所定の長さを形成していることを特徴とする請求項１記載のリストバンド。
【発明の詳細な説明】
【技術分野】
【０００１】
本発明はリストバンドにかかるもので、とくに病院や遊園地などで患者や入園者の四肢たとえば手首あるいは足首に環状に巻き付けて個人情報を表示ないし保持するために用いられるリストバンドに関する。
【背景技術】
【０００２】
従来から、病院などにおいて患者の診療科、氏名、年齢、血液型などその個人固有の識別データをリストバンドに印字して表示した上で、患者の四肢たとえば手首あるいは足首に環状に巻き付けて、患者の特定を確実にすることが行われている。
【０００３】
このリストバンドの固定方法としては、たとえば、合成樹脂製の帯状のバンド本体に複数個の固定孔を開けて、クリップにより固定するものがある。しかしながら、この構成では、リストバンド固定のためにクリップが必要であり、操作が面倒であるとともに、安価での提供が困難であるという問題がある。
【０００４】
したがって、バンド本体の端部に粘着剤を塗布しておき、輪状にして、貼着する構成のリストバンドもある。しかしながら、この粘着剤を用いる構成のリストバンドでは、低コストかつ装着操作が簡単であるが、貼着固定可能な粘着層と台紙とからなる貼着シールを利用して剥離紙を剥がして粘着層により巻付け可能とし、手首などに装着時には、剥離紙が不要となる。そのためゴミを発生させる要因となり、地球環境保全に寄与できないという問題がある。
【先行技術文献】
【特許文献】
【０００５】
【特許文献１】特開２００７−２２９０００号公報
【発明の概要】
【発明が解決しようとする課題】
【０００６】
本発明は以上のような諸問題にかんがみなされたもので、安価なリストバンドを手首などに装着時、ゴミである剥離紙を分離しないリストバンドを提供することを課題とする。
【０００７】
また本発明は、本体リストバンドを利用済の場合、所定のハーフ破断線をきっかけに、被着体である手首などから取り外すことが可能としたリストバンドを提供することを課題とする。
【課題を解決するための手段】
【０００８】
すなわち本発明は、ある人体の個人情報を表示可能な表示部と、前記表示部に連結し、この人体の四肢の少なくともいずれかひとつに巻き付けるバンド部と、を有するリストバンドであって、前記表示部と前記バンド部とは略同一の面積であり、前記表示部は、これを矩形状に形成し、前記バンド部は、前記表示部のいずれかの一辺にこれを一体的に連結し、前記人体の四肢のいずれかひとつに巻き付ける環状の長さの許容範囲は、当該リストバンドの長手方向の半分の長さから長手方向の長さ以内であるとともに、前記表示部の裏面には、所定の位置に粘着層、剥離層、剥離紙が順次積層形成するとともに、前記表示部の裏面の一方の端部には、接着層、前記剥離紙が積層形成していることを特徴とするリストバンドである。
【０００９】
前記バンド部には、所定の間隔で長手方向の上下端部よりハーフ破断線が中央に向かい所定の長さを形成していることができる。
【発明の効果】
【００１０】
本発明によるリストバンドにおいては、表示部の裏面には、所定の位置に粘着層、剥離層、剥離紙が順次積層形成しているとともに、表示部の裏面の一方の端部には、接着層、前記剥離層が積層形成しているため、裏面に有する剥離紙に積層形成している接着層が不存在である端部より剥離紙を上方方向に剥離しても、剥離紙とリストバンドとが、不可分一体の状態にあり剥離紙は分離した不要物とならず、地球環境保全に寄与する効果を奏するものである。
【００１１】
また、露出した粘着層を四肢のいずれかひとつに巻き付いているバンド部表面に向かって重合することで巻付けることが可能であり、表示部の裏面側の貼着部と、バンド部の表面側と、を重合する長さは、四肢の太さに合うように巻付け調節可能とし、当該リストバンドを取り付ける人体の四肢にあった状態にセット可能で、リストバンドの抜落ちや締付け過ぎなどの問題を解消可能である。
【図面の簡単な説明】
【００１２】
【図１】本発明の第１の実施例によるリストバンド１の平面図である。
【図２】同、剥離紙１１を剥離した状態のリストバンド１の裏面図である。
【図３】同、Ｘ−Ｘ線拡大断面図である。
【図４】同、リストバンド１を輪状とする方向性を示す断面図である。
【図５】同、リストバンド１を輪状とした状態の断面図である。
【発明を実施するための最良の形態】
【００１３】
本発明は、接着層においてリストバンドと剥離紙の端部とを、不可分一体としたので、リストバンド使用時に剥離紙がリストバンド基材と分離しないとともに、巻付け長さを任意の長さに調節可能なリストバンドを実現した。
【００１４】
つぎに本発明の第１の実施例によるリストバンド１を図１ないし図６にもとづき説明する。
図１は、リストバンド１の平面図、図２は、リストバンド１の平面図の裏面、図３はＸ−Ｘ線拡大断面図であって、リストバンド１は、表示部２と、バンド部３と、貼着部４と、接合部５とを有する。
リストバンド基材１２としては、ポリエチレンあるいはその共重合体などから構成して柔軟性を確保したもの、さらに通気性に優れているとともに、長時間の使用にあたっても、蒸れやふやけを引き起こしにくい材質のものを採用する。さらに、基材の厚さを所定レベルに選定することによって、柔軟性および剛性を併せ持つものとする。
【００１５】
表示部２並びに、バンド部３は、矩形状であって、その表面に各種文字およびバーコードや二次元コードなどにより個人情報を表示可能である。リストバンド１において患者の手首や足首Ｗに巻き付ける際、表示部２がバンド部３の外側に重合するので、表示部２の情報がバンド部３に覆われることがない。つまり、図１より、リストバンド１の長手方向の長さを２Ｌとすると、表示部２の長手方向の長さとバンド部３の長さを同一にした場合、手首又は足首Ｗの環状の長さの許容範囲は、Ｌ以上、２Ｌ以内とすることで表示部２の領域がバンド部３の表面側に重合して隠れることはなく、表示可能となる。またはリストバンド１の長さを２Ｌとし、表示部２よりバンド部３の長さを長くすることでも表示可能である。さらに、表示部２とバンド部３との幅方向は、双方略同一であり、幅長は任意に設計可能である。
【００１６】
図２より表示部２の裏面には、貼着部４と接合部５が形成され、図３より、この貼着部４は、粘着層９、剥離層１０、剥離紙１１と、順次積層形成されている。粘着層９は環状に巻き付けたときに、バンド部３表面側に重合するためのものであり、剥離層１０は剥離紙１１側に塗布されている。粘着層９と剥離紙１１とは仮着の状態にある。貼着部４に連接している接合部５は、リストバンド１の長手方向において、一端部に、かつ幅方向に沿って形成されている。この接合部５は接着層８と、剥離紙１１とに、積層形成しているもので、リストバンド１から剥離紙１１の端部より剥がし粘着層９を表出させ不可分一体に保持するものである。
【００１７】
図１よりバンド部３は、表示部２に連結しているとともに、患者の四肢の少なくともいずれかひとつに巻き付け可能とするものであって、その長手方向の端部より中央に向かって所定の間隔で所定の長さに破断線７が形成されている。この破断線７はリストバンド１を利用後、手首Ｗなどから取り外すときの切欠となる切り込みであり、この切り込みは表裏面を貫通せず、表面側のみ切り込みが形成されている。これにより、手首Ｗ等に装着した際、破断線７の形成によるバリや鋭角な突起などは、装着面となる裏面に存在せず、肌に接触してカブレや不快感を与えるのを防止することができる。
【００１８】
また、バンド部３の裏面には、識別マーク６が形成され、印刷インキなどの墨色で印刷されたものである。この識別マーク６は印字開始位置を表すもので、これにより、リストバンド１において、表面側表示部２は、任意のプリンター（図示せず）に装填して、たとえば患者の個人情報を各種文字およびバーコードや二次元コードなどにより印字することができる。
【００１９】
こうした構成のリストバンド１において、患者の四肢に巻き付け可能とするようにこれを構成する操作を以下に説明する。
図４は、リストバンド１を輪状とする方向性を示す断面図であり、図５は、リストバンド１を輪状とした状態の断面図である。
図１に示すように、一方の表示部２に患者の情報を印字して表示し、図４に示すように、表示部２の一端部に形成している貼着部４における剥離紙１１の粘着層９を形成する端部側より外方に向けて剥がし、その表出した粘着層９を他方のバンド部３の表面側に貼り付けることにより手首Ｗにリストバンド１を巻き付け、患者の特定を可能とする。
【００２０】
つまり、図４において、貼着部４の粘着層９からなる端部側の剥離紙１１端部を外方方向に向け剥がし、さらに他端側にその剥離紙１１端部を移動することで、粘着層９が表出する。しかし、この粘着層９を表出させても、接合部５の接着層８によりリストバンド１と一部分の剥離紙１１とは不可分一体に保持する。その表出した粘着層９を患者の手首Ｗに巻き付いているバンド部３表面に向かって重ね合わることで好適な環状の位置で粘着層９と表面側バンド部３が貼着し固定可能となる。
【００２１】
図５において、リストバンド１の表示部２とバンド部３とは患者の手首Ｗに一部分が重複して環状に巻き付けられるが、表示部２はバンド部３より外方に巻き付けるもので表示情報がバンド部３により覆われることはない。さらに、表示部２の裏面に形成されている接合部５より表出している剥離紙は、リストバンド１の長手方向の長さを２Ｌ、手首又は足首Ｗの環状の長さが、Ｌ以上、２Ｌ以内であれば、バンド部３表面上に有することになり、直に手首Ｗの皮膚に接触することもなく、カブレや不快感を与えるものでない。
【００２２】
したがって、裏面側表示部２および表面側バンド部３の重複する長さを調節することにより手首や足首Ｗへの環状の直径を調節可能である。
【００２３】
かくして、患者などの手首あるいは足首Ｗに適正な直径で巻き付け、粘着層９で一端部側を接着しているため、不要物となる剥離紙１１がリストバンド１と不可分一体となるため地球環境保全に寄与する、という効果を奏するものである。
【符号の説明】
【００２４】
１  リストバンド（実施例、図１）
２  表示部
３  バンド部
４  貼着部
５  接合部
６  識別マーク
７  破断線
８  接着層
９  粘着層
１０  剥離層
１１  剥離紙
１２  リストバンド基材
Ｗ    手首あるいは足首（図５）
【図１】
0005780743.tif 000002
【図２】
0005780743.tif 000003
【図３】
0005780743.tif 000004
【図４】
0005780743.tif 000005
【図５】
0005780743.tif 000006